(57)【要約】  第1のスイッチ本体部（2a）および第2のスイッチ本体部（2b）を有するスイッチ本体（2）と、第1のスイッチ本体部（2a）のスロット（4）に配置されるように構成されたスイッチ接点（3）と、スロット（4）を覆うように構成されたスイッチ接点カバー（5）と、第2のスイッチ本体部（2b）の外周を覆うように構成された封止手段（6）とを備えるスイッチ（1）。
2020516022.tif 000002
【特許請求の範囲】
【請求項１】
第1のスイッチ本体部（2a）および第2のスイッチ本体部（2b）を有するスイッチ本体（2）と、
前記第1のスイッチ本体部（2a）のスロット（4）に配置されるように構成されたスイッチ接点（3）と、
前記スロット（4）を覆うように構成されたスイッチ接点カバー（5）と、
前記第2のスイッチ本体部（2b）の外周を覆うように構成された封止手段（6）と
を備える、スイッチ（1）。
【請求項２】
前記第1のスイッチ本体部（2a）が、前記第2のスイッチ本体部（2b）よりも大きい断面を有する、請求項1に記載のスイッチ（1）。
【請求項３】
前記スイッチ接点（3）が、ドームを備える、請求項1または2に記載のスイッチ（1）。
【請求項４】
前記封止手段（6）が、ガスケットを備える、請求項1から3のいずれか一項に記載のスイッチ（1）。
【請求項５】
前記封止手段（6）が、外周に延びる隆起部（7）を備える、請求項1から4のいずれか一項に記載のスイッチ（1）。
【請求項６】
前記封止手段（6）が、射出成形によって前記スイッチ本体（2）上に成形されている、請求項4または5に記載のスイッチ（1）。
【請求項７】
電子デバイス用のボタン構造（8）であって、前記電子デバイスが、外面（10）および内面（11）を有するハウジング（9）を備え、前記外面（10）および内面（11）が、貫通開口部（12）によって接続され、前記ボタン構造（8）が、
押しボタン（13）と、
請求項1から6に記載のスイッチ（1）と、
フレックスアセンブリ（14）と
を備え、
前記スイッチ（1）が、前記押しボタン（13）と前記フレックスアセンブリ（14）との間で前記貫通開口部（12）を少なくとも部分的に通って延びるように構成されている、
ボタン構造（8）。
【請求項８】
前記スイッチ（1）が、前記フレックスアセンブリ（14）に電気的に接続されている、請求項7に記載のボタン構造（8）。
【請求項９】
前記スイッチ（1）が、はんだ付けによって前記フレックスアセンブリ（14）に接続されている、請求項8に記載のボタン構造（8）。
【請求項１０】
前記封止手段（6）が、前記外面（10）から前記内面（11）への方向における流体の前記電子デバイスへの侵入がないように前記貫通開口部（12）を封止するよう構成されている、請求項7から9のいずれか一項に記載のボタン構造（8）。
【請求項１１】
前記スイッチ（1）が、前記内面（11）からの方向で前記貫通開口部（12）に挿入されるように構成されており、前記フレックスアセンブリ（14）が、前記内面（11）に当接するように構成されている、請求項7から10のいずれか一項に記載のボタン構造（8）。
【請求項１２】
前記フレックスアセンブリ（14）を前記ハウジング（9）にロックするように構成された支持プレート（15）をさらに備える、請求項7から11のいずれか一項に記載のボタン構造（8）。
【請求項１３】
請求項7から12のいずれか一項に記載のボタン構造（8）を収容するように構成された電子デバイスであって、
前記電子デバイスが、第1の外面（10a）、第2の外面（10b）、第3の外面（10c）、および内面（11）を有するハウジング（9）を備え、
前記第1の外面（10a）および前記内面（11）が、貫通開口部（12）によって接続されており、
前記ボタン構造（8）が、前記貫通開口部（12）を少なくとも部分的に通って延びるように構成されている、
電子デバイス。
【請求項１４】
前記第2の外面（10b）が、前記第1の外面（10a）に対して垂直に延びており、第1の溝（16a）が、前記第2の外面（10b）から前記貫通開口部（12）まで延びており、
前記第1の溝（16a）が、前記第1の溝（16a）からボタンロックプレート（17）を取り外さなければ前記押しボタン（13）が前記貫通開口部（12）から取り外され得ないように前記ボタン構造（8）の押しボタン（13）と前記ボタンロックプレート（17）とを連結するように適合された前記ボタンロックプレート（17）を収容するように構成されている、
請求項13に記載の電子デバイス。
【請求項１５】
前記第3の外面（10c）が、前記第2の外面（10b）と平行に延びており、第2の溝（16b）が、前記第3の外面（10c）から前記貫通開口部（12）まで延びており、
前記第2の溝（16b）が、前記第2の溝（16b）から支持プレート（15）を取り外さなければ前記ボタン構造（8）が前記貫通開口部（12）から取り外され得ないようにハウジング（9）と前記支持プレート（15）とを連結するように適合された前記支持プレート（15）を収容するように構成されている、
請求項14に記載の電子デバイス。
【請求項１６】
請求項7から12のいずれか一項に記載のボタン構造（8）を電子デバイスに設ける方法であって、
前記電子デバイスが、第1の外面（10a）および内面（11）を有するハウジング（9）を備え、前記第1の外面（10a）および内面（11）が、貫通開口部（12）によって接続されており、
前記方法が、
a）前記押しボタン（13）を前記貫通開口部（12）に部分的に挿入するステップと、
b）前記押しボタン（13）を前記ハウジング（9）に取り付けるステップと、
c）前記スイッチ（1）に接続された前記フレックスアセンブリ（14）が前記内面（11）に当接するように、前記内面（11）から前記第1の外面（10a）に向かう方向で、前記スイッチ（1）を前記貫通開口部（12）に少なくとも部分的に挿入するステップと、
d）前記スイッチ（1）および前記フレックスアセンブリ（14）を前記ハウジング（9）に取り付けるステップと
を含む、方法。
【請求項１７】
前記ステップa）が、前記第1の外面（10a）から前記内面（11）に向かう方向で前記押しボタン（13）を前記貫通開口部（12）に挿入するステップを含む、請求項16に記載の方法。
【請求項１８】
前記ハウジング（9）が、前記第1の外面（10a）に対して垂直に延びる第2の外面（10b）をさらに備え、
第1の溝（16a）が、前記第2の外面（10b）から前記貫通開口部（12）まで延びており、
前記ステップb）が、
b1）ボタンロックプレート（17）を前記第1の溝（16a）に挿入するステップと、
b2）前記第1の溝（16a）から前記ボタンロックプレート（17）を取り外さなければ前記押しボタン（13）が前記貫通開口部（12）から取り外され得ないように、前記押しボタン（13）が前記ボタンロックプレート（17）と連結されるステップと
を含む、請求項16または17に記載の方法。
【請求項１９】
前記ハウジング（9）が、前記第2の外面（10b）と平行に延びる第3の外面（10c）をさらに備え、
第2の溝（16b）が、前記第3の外面（10c）から前記貫通開口部（12）まで延びており、
前記ステップd）が、
d1）支持プレート（15）を前記第2の溝（16b）に挿入するステップと、
d2）前記第2の溝（16b）から前記支持プレート（15）を取り外さなければ前記ボタン構造（8）が前記貫通開口部（12）から取り外され得ないように、前記支持プレート（15）が前記ハウジング（9）と連結されるステップと
を含む、請求項16から18のいずれか一項に記載の方法。
【発明の詳細な説明】
【技術分野】
【０００１】
本開示は、封止手段を備えたスイッチ、およびこのようなスイッチを備えるボタン構造に関する。
【背景技術】
【０００２】
防水電子デバイスは次第に普及しつつある。このようなデバイスの内部は、デバイスの電子部品の損傷を回避するために水の侵入から保護されなければならない。電子デバイスのすべての開口または隙間に防水要素を追加することによって、アセンブリは、より複雑になり、より多くのスペースを浪費するようになる。
【０００３】
既存の防水スイッチ装置は、水の侵入から電子デバイスの内部を保護するために、押しボタン、スイッチ、および押しボタンとスイッチとの間に配置される弾性シートを備える。弾性シートは、押しボタンのシャフト部分にシートが圧入され得るように、少なくとも1つの開口を備える。この解決策は、防水要素、すなわち弾性シートが押しボタンの周りに部分的に配置されることを可能にし、これにより、スペースの浪費およびスイッチ装置の厚さが削減される。
【０００４】
しかしながら、部品および組み立てステップの増加された数は、押しボタンとこれに対応するスイッチとの間の大きな公差の累計をもたらし、押しボタンの触覚特性を損なう。押しボタンとスイッチとの間に防水要素を配置すると、押しボタンの触覚特性はさらに損なわれる。また、防水要素によって生じる追加された摩擦は、押しボタンの詰まりのリスクを増加させる。
【０００５】
したがって、上で確認された問題の少なくとも一部に対処する防水スイッチ装置を提供できることが望ましい。
【発明の概要】
【０００６】
削減された部品を有し、防水性である改善されたスイッチを提供することが目的である。
【０００７】
改善されたスイッチを含むボタン構造を提供することが別の目的である。
【０００８】
先のおよび他の目的は、独立請求項の特徴によって達成される。さらなる実施の形態は、従属請求項、明細書、および図面から明らかになる。
【課題を解決するための手段】
【０００９】
第1の態様によれば、第1のスイッチ本体部および第2のスイッチ本体部を有するスイッチ本体と、第1のスイッチ本体部のスロットに配置されるように構成されたスイッチ接点と、スロットを覆うように構成されたスイッチ接点カバーと、第2のスイッチ本体部の外周を覆うように構成された封止手段とを備えるスイッチが提供される。したがって、部品の削減により、スイッチの製造およびその後の電子デバイスへの取り付けが容易になる。さらに、スイッチに対応する押しボタンの触覚特性が改善される。
【００１０】
第1の態様の第1の可能な実施の形態では、第1のスイッチ本体部は、第2のスイッチ本体部よりも大きい断面を有する。これは、封止手段が断面の変化によって生じる段差によって自然に区切られるため、スイッチ本体の部分のみの上に封止手段を取り付けることを容易にする。
【００１１】
第1の態様の第2の可能な実施の形態では、スイッチ接点は、ドームを備える。
【００１２】
第1の態様の第3の可能な実施の形態では、封止手段は、ガスケットを備える。
【００１３】
第1の態様の第4の可能な実施の形態では、封止手段は、外周に延びる隆起部を備える。
【００１４】
第1の態様の第5の可能な実施の形態では、封止手段は、射出成形によってスイッチ本体上に成形される。
【００１５】
第2の態様によれば、電子デバイス用のボタン構造であって、電子デバイスが、外面および内面を有するハウジングを備え、面が、貫通開口部によって接続され、ボタン構造が、押しボタンと、上記によるスイッチと、フレックスアセンブリとを備え、
スイッチが、押しボタンとフレックスアセンブリとの間で開口部を少なくとも部分的に通って延びるように構成される、ボタン構造が提供される。したがって、封止手段が押しボタンとスイッチとの間に配置される従来技術の解決策と比較して、触覚性が向上し、ボタンの詰まりのリスクが削減される。さらに、ハウジングの防水表面が、貫通開口部と同時に機械加工され得、これは、押しボタンとスイッチとの間の短い公差の累計をもたらす。
【００１６】
第2の態様の第1の可能な実施の形態では、スイッチは、フレックスアセンブリに電気的に接続される。
【００１７】
第2の態様の第2の可能な実施の形態では、スイッチは、はんだ付けによってフレックスアセンブリに接続される。
【００１８】
第2の態様の第3の可能な実施の形態では、封止手段は、外面から内面への方向における流体の電子デバイスへの侵入がないように開口部を封止するよう構成される。
【００１９】
第2の態様の第4の可能な実施の形態では、スイッチは、内面からの方向で開口部に挿入されるように構成され、フレックスアセンブリは、内面に当接するように構成される。この解決策は、貫通開口部内の所定の位置にスイッチを保持し、スイッチが外面に向かう方向に動くのを妨げる。
【００２０】
第2の態様の第5の可能な実施の形態では、ボタン構造は、フレックスアセンブリをハウジングにロックするように構成された支持プレートをさらに備える。この解決策は、スイッチが内面に向かう方向に動くのを妨げる。
【００２１】
第3の態様によれば、上記によるボタン構造を収容するように構成された電子デバイスであって、電子デバイスが、第1の外面、第2の外面、第3の外面、および内面を有するハウジングを備え、第1の外面および内面が、貫通開口部によって接続されており、ボタン構造が、開口部を少なくとも部分的に通って延びるように構成されている、電子デバイスが提供される。このような電子デバイスは、防水性であるだけでなく、押しボタンの触覚性、したがってユーザの満足度も維持する。
【００２２】
第3の態様の第1の可能な実施の形態では、第2の外面は、第1の外面に対して垂直に延び、第1の溝は、第2の外面から開口部まで延び、第1の溝は、第1の溝からボタンロックプレートを取り外さなければ押しボタンが開口部から取り外され得ないようにボタン構造の押しボタンとボタンロックプレートとを連結するように適合されたボタンロックプレートを収容するように構成される。この解決策は、押しボタンがハウジングの外面に向かう方向に動くのを防ぐ。
【００２３】
第3の態様の第2の可能な実施の形態では、第3の外面は、第2の外面と平行に延び、第2の溝は、第3の外面から開口部まで延び、第2の溝は、第2の溝から支持プレートを取り外さなければボタン構造が開口部から取り外され得ないようにハウジングと支持プレートとを連結するように適合された支持プレートを収容するように構成される。
【００２４】
第4の態様によれば、上記によるボタン構造を電子デバイスに設ける方法であって、電子デバイスが、第1の外面および内面を有するハウジングを備え、面が、貫通開口部によって接続されており、本方法が、押しボタンを開口部に部分的に挿入するステップと、押しボタンをハウジングに取り付けるステップと、スイッチに接続されたフレックスアセンブリが内面に当接するように、内面から第1の外面に向かう方向で、スイッチを開口部に少なくとも部分的に挿入するステップと、スイッチおよびフレックスアセンブリをハウジングに取り付けるステップとを含む、方法が提供される。この方法は、封止手段が押しボタンとスイッチとの間に配置される従来技術の解決策と比較して、押しボタンの触覚性を向上させ、ボタンの詰まりのリスクを削減する。さらに、ハウジングの防水表面が、貫通開口部と同時に機械加工され得、これは、押しボタンとスイッチとの間の短い公差の累計をもたらす。
【００２５】
第4の態様の第1の可能な実施の形態では、本方法は、第1の外面から内面に向かう方向で押しボタンを開口部に挿入するステップを含む。このような解決策は、異なる部品の簡単かつ迅速な取り付けを可能にする。
【００２６】
第4の態様の第2の可能な実施の形態では、ハウジングは、第1の外面に対して垂直に延びる第2の外面をさらに備え、第1の溝は、第2の外面から開口部まで延び、本方法は、ボタンロックプレートを第1の溝に挿入するステップと、第1の溝からボタンロックプレートを取り外さなければ押しボタンが開口部から取り外され得ないように、押しボタンがボタンロックプレートと連結されるステップとを含む。
【００２７】
第4の態様の第3の可能な実施の形態では、ハウジングは、第2の外面と平行に延びる第3の外面をさらに備え、第2の溝は、第3の外面から開口部まで延び、本方法は、支持プレートを第2の溝に挿入するステップと、第2の溝から支持プレートを取り外さなければボタン構造が開口部から取り外され得ないように、支持プレートがハウジングと連結されるステップとを含む。
【００２８】
これらのおよび他の態様は、以下で説明される実施形態から明らかになる。
【００２９】
本開示の以下の詳細な部分において、態様、実施形態、および実施態様が、図面に示されている例示的な実施形態を参照してより詳細に説明される。
【図面の簡単な説明】
【００３０】
【図１】本発明の一実施形態によるスイッチおよびフレックスアセンブリの立面図を示す。
【図２】図1に示されている実施形態におけるスイッチの分解立面図を示す。
【図３ａ】本発明の別の実施形態によるボタン構造および部分ハウジングの立面正面図を示す。
【図３ｂ】スイッチおよびフレックスアセンブリがハウジングから分離された状態の、図3aに示されている実施形態の立面背面図を示す。
【図３ｃ】スイッチおよびフレックスアセンブリがハウジングの開口部に取り外し可能に挿入された状態の、図3aおよび図3bに示されている実施形態の立面背面図を示す。
【図３ｄ】スイッチおよびフレックスアセンブリがハウジングの開口部に挿入されてロックされた状態の、図3aから図3cに示されている実施形態の立面背面図を示す。
【図４ａ】図3bに示されているボタン構造およびハウジングの断面図を示す。
【図４ｂ】図3dに示されているボタン構造およびハウジングの断面図を示す。
【発明を実施するための形態】
【００３１】
図1は、スイッチ1およびフレックスアセンブリ14を備える実施形態を示す。スイッチ1は、例えばリフローはんだ付けによってフレックスアセンブリ14に電気的に接続される。フレックスアセンブリ14は、L字状のフレックス14aと、フレックス14aを補強するだけでなく、スイッチ1が電子デバイスに取り付けられるときに補強材14bの後ろに配置される支持プレート15を案内するフレックス補強材14bとを備える。スイッチは、スイッチ本体2、スイッチ接点3、スイッチ接点カバー5、および封止手段6を備える。
【００３２】
スイッチ本体2は、プラスチック材料を備え、好ましくはインサート成形によって製造される。さらに、スイッチ本体2は、フレックス14aにはんだ付けされる信号線と共に使用される打ち抜き金属インサートを備える。図2に示されているように、スイッチ本体は、スイッチ本体2の中心軸線に沿って配置される第1のスイッチ本体部2aおよび第2のスイッチ本体部2bの2つの部分から構成される。金属インサートは、第2のスイッチ本体部2bに主に配置される。
【００３３】
一実施形態では、第1のスイッチ本体部2aは、第2のスイッチ本体部2bの断面よりも大きい断面を有する。両方の部分の領域は、スイッチの中心軸線の方向に見られた場合、直楕円形である。直楕円形によって、丸い角を有する長方形が意味されている。断面は、楕円形、長円形、または長方形の領域など、任意の他の適切な形状を有してもよい。すなわち、スイッチの側面断面図は、本質的にT字状のスイッチ本体を示し、一方、正面または背面断面図は、第1のスイッチ本体部2aまたは第2のスイッチ本体部2bにわたって切断が行われた場合に応じて1つまたは2つの直楕円を示す。
【００３４】
一実施形態ではドームを備えるスイッチ接点3は、第1のスイッチ本体部2aの自由端に配置されたスロット4に配置されるように構成される。スイッチ接点カバー5は、例えばスイッチ接点カバー5を上述された自由端にレーザ溶接または接着することによって、スイッチ接点／ドーム3およびスロット4を覆うように設けられる。
【００３５】
一実施形態ではガスケットである封止手段6は、第2のスイッチ本体部2bの外周を覆う。封止手段／ガスケット6は、外周に延びる隆起部7を備える。封止手段／ガスケット6は、スイッチ本体上にスライドされる別個のゴム部品であってもよく、または液体射出成形によってスイッチ本体2、好ましくは第2のスイッチ本体部2b上に直接成形されてもよい。
【００３６】
図3および図4は、携帯電話などの電子デバイスに配置されるボタン構造8の実施形態を示す。電子デバイスは、外部に面する第1の外面10aと、電子デバイスの内部に面する反対側の内面11とを有するハウジング9を備える。ハウジングは、互いに平行に延び、かつ第1の外面10aおよび内面11に対して垂直である第2の外面10bおよび第3の外面10cをさらに備える。第1の外面10aおよび内面11は、本質的に両方の面に対して垂直に延びる貫通開口部12によって接続される。第1の外面10aは、平面であってもよいが、それはまた、図4aおよび図4bに見られるように、いくらか湾曲していてもよく、すなわち、少なくとも部分的に凸状であってもよい。内面11は、少なくとも1つの平面を備え、すなわち、それは、内面11が階段状の表面になるように、いくつかの平行な平面を備えてもよい。
【００３７】
ボタン構造8は、上記されたようなスイッチ1およびフレックスアセンブリ14、ならびに電子デバイスのハウジング9から突出することを意図された押しボタン13を備える。スイッチ1は、押しボタン13とフレックスアセンブリ14との間で開口部12を少なくとも部分的に通って延びるように構成される。前述されたように、スイッチ1は、例えば、リフローはんだ付けなどのはんだ付けプロセスによって、フレックスアセンブリ14に電気的に接続される。
【００３８】
スイッチ1は、外面10aから内面11への方向における流体の電子デバイスへの侵入がないように開口部12を封止するよう構成される封止手段6を備える。
【００３９】
電子デバイスにボタン構造8を設けるとき、押しボタン13は、第1の外面10aから内面11に向かう方向で開口部12に挿入される。押しボタン13は、それが開口部12およびハウジング9からいくらか突出するように部分的にのみ挿入される。その後、押しボタン13は、ボタンロックプレート17によってハウジング9に取り付けられる。
【００４０】
ボタンロックプレート17は、第2の外面10bと開口部12との間に延びる第1の溝16aに挿入される。これは、図4aに模式的に示されている。第2の外面10bは、第1の外面10aに対して垂直に延びている。押しボタン13は、最初にボタンロックプレート17を第1の溝16aから取り外さなければ押しボタン13が開口部12から取り外され得ないようにボタンロックプレート17と連結されるよう構成される。
【００４１】
スイッチ1は、内面11から第1の外面10aに向かう方向で開口部12に少なくとも部分的に挿入され、フレックスアセンブリ14は、フレックスアセンブリ14が開口部12を通るスイッチ1の動きを止めるようにして、最終的に内面11に当接するように構成される。図3bおよび図3cを参照されたい。すなわち、スイッチ1は、フレックスアセンブリ14が内面11に当接するため、外面10aを越えて延び得ない。フレックスアセンブリ14は、フレックスアセンブリ14、したがってスイッチ1をハウジング9にロックするように構成される支持プレート15をさらに備える。
【００４２】
支持プレート15は、図3dに示されているように第3の外面10cと開口部12との間に延びる第2の溝16bに挿入される。第3の外面10cは、第1の外面10aに対して垂直に、かつ第2の外面10bと平行に延びている。支持プレート15は、最初に支持プレート15を第2の溝16bから取り外さなければボタン構造8が開口部12から取り外され得ないようにハウジング9と連結されるように構成される。
【００４３】
様々な態様および実施態様が、本明細書の様々な実施形態に関連して説明された。しかしながら、開示された実施形態に対する他の変形例は、図面、本開示、および添付の特許請求の範囲の研究から、特許請求された主題を実施する当業者によって理解および達成され得る。特許請求の範囲において、「備える（comprising）」という語は、他の要素またはステップを排除せず、不定冠詞「1つの（a）」または「1つの（an）」は、複数を排除しない。特定の基準が相互に異なる従属請求項に記載されているという単なる事実は、これらの基準の組み合わせが好適に使用され得ないことを示すものではない。
【００４４】
特許請求の範囲で使用されている参照符号は、範囲を限定するものと解釈されるべきではない。
【符号の説明】
【００４５】
1  スイッチ
2  スイッチ本体
2a  第1のスイッチ本体部
2b  第2のスイッチ本体部
3  スイッチ接点、スイッチ接点／ドーム
4  スロット
5  スイッチ接点カバー
6  封止手段、封止手段／ガスケット
7  隆起部
8  ボタン構造
9  ハウジング
10a  第1の外面
10b  第2の外面
10c  第3の外面
11  内面
12  貫通開口部
13  押しボタン
14  フレックスアセンブリ
14a  フレックス
14b  フレックス補強材
15  支持プレート
16a  第1の溝
16b  第2の溝
17  ボタンロックプレート
【図１】
2020516022.tif 000003
【図２】
2020516022.tif 000004
【図３（ａ）】
2020516022.tif 000005
【図３（ｂ）】
2020516022.tif 000006
【図３（ｃ）】
2020516022.tif 000007
【図３（ｄ）】
2020516022.tif 000008
【図４（ａ）】
2020516022.tif 000009
【図４（ｂ）】
2020516022.tif 000010
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
第1のスイッチ本体部（2a）および第2のスイッチ本体部（2b）を有するスイッチ本体（2）と、
前記第1のスイッチ本体部（2a）のスロット（4）に配置されるように構成されたスイッチ接点（3）と、
前記スロット（4）を覆うように構成されたスイッチ接点カバー（5）と、
前記第2のスイッチ本体部（2b）の外周を覆うように構成された封止手段（6）と
を備える、スイッチ（1）。
【請求項２】
前記第1のスイッチ本体部（2a）が、前記第2のスイッチ本体部（2b）よりも大きい断面を有する、請求項1に記載のスイッチ（1）。
【請求項３】
前記スイッチ接点（3）が、ドームを備える、請求項1または2に記載のスイッチ（1）。
【請求項４】
前記封止手段（6）が、ガスケットを備える、請求項1から3のいずれか一項に記載のスイッチ（1）。
【請求項５】
前記封止手段（6）が、外周に延びる隆起部（7）を備える、請求項1から4のいずれか一項に記載のスイッチ（1）。
【請求項６】
前記封止手段（6）が、射出成形によって前記スイッチ本体（2）上に成形されている、請求項4または5に記載のスイッチ（1）。
【請求項７】
電子デバイス用のボタン構造（8）であって、前記電子デバイスが、外面（10）および内面（11）を有するハウジング（9）を備え、前記外面（10）および内面（11）が、貫通開口部（12）によって接続され、前記ボタン構造（8）が、
押しボタン（13）と、
請求項1から6のいずれか一項に記載のスイッチ（1）と、
フレックスアセンブリ（14）と
を備え、
前記スイッチ（1）が、前記押しボタン（13）と前記フレックスアセンブリ（14）との間で前記貫通開口部（12）を少なくとも部分的に通って延びるように構成されている、
ボタン構造（8）。
【請求項８】
前記スイッチ（1）が、前記フレックスアセンブリ（14）に電気的に接続されている、請求項7に記載のボタン構造（8）。
【請求項９】
前記スイッチ（1）が、はんだ付けによって前記フレックスアセンブリ（14）に接続されている、請求項8に記載のボタン構造（8）。
【請求項１０】
前記封止手段（6）が、前記外面（10）から前記内面（11）への方向における流体の前記電子デバイスへの侵入がないように前記貫通開口部（12）を封止するよう構成されている、請求項7から9のいずれか一項に記載のボタン構造（8）。
【請求項１１】
前記スイッチ（1）が、前記内面（11）からの方向で前記貫通開口部（12）に挿入されるように構成されており、前記フレックスアセンブリ（14）が、前記内面（11）に当接するように構成されている、請求項7から10のいずれか一項に記載のボタン構造（8）。
【請求項１２】
前記フレックスアセンブリ（14）を前記ハウジング（9）にロックするように構成された支持プレート（15）をさらに備える、請求項7から11のいずれか一項に記載のボタン構造（8）。
【請求項１３】
請求項7から12のいずれか一項に記載のボタン構造（8）を収容するように構成された電子デバイスであって、
前記電子デバイスが、第1の外面（10a）、第2の外面（10b）、第3の外面（10c）、および内面（11）を有するハウジング（9）を備え、
前記第1の外面（10a）および前記内面（11）が、貫通開口部（12）によって接続されており、
前記ボタン構造（8）が、前記貫通開口部（12）を少なくとも部分的に通って延びるように構成されている、
電子デバイス。
【請求項１４】
前記第2の外面（10b）が、前記第1の外面（10a）に対して垂直に延びており、第1の溝（16a）が、前記第2の外面（10b）から前記貫通開口部（12）まで延びており、
前記第1の溝（16a）が、前記第1の溝（16a）からボタンロックプレート（17）を取り外さなければ前記押しボタン（13）が前記貫通開口部（12）から取り外され得ないように前記ボタン構造（8）の押しボタン（13）と前記ボタンロックプレート（17）とを連結するように適合された前記ボタンロックプレート（17）を収容するように構成されている、
請求項13に記載の電子デバイス。
【請求項１５】
前記第3の外面（10c）が、前記第2の外面（10b）と平行に延びており、第2の溝（16b）が、前記第3の外面（10c）から前記貫通開口部（12）まで延びており、
前記第2の溝（16b）が、前記第2の溝（16b）から支持プレート（15）を取り外さなければ前記ボタン構造（8）が前記貫通開口部（12）から取り外され得ないようにハウジング（9）と前記支持プレート（15）とを連結するように適合された前記支持プレート（15）を収容するように構成されている、
請求項14に記載の電子デバイス。
【請求項１６】
請求項7から12のいずれか一項に記載のボタン構造（8）を電子デバイスに設ける方法であって、
前記電子デバイスが、第1の外面（10a）および内面（11）を有するハウジング（9）を備え、前記第1の外面（10a）および内面（11）が、貫通開口部（12）によって接続されており、
前記方法が、
a）前記押しボタン（13）を前記貫通開口部（12）に部分的に挿入するステップと、
b）前記押しボタン（13）を前記ハウジング（9）に取り付けるステップと、
c）前記スイッチ（1）に接続された前記フレックスアセンブリ（14）が前記内面（11）に当接するように、前記内面（11）から前記第1の外面（10a）に向かう方向で、前記スイッチ（1）を前記貫通開口部（12）に少なくとも部分的に挿入するステップと、
d）前記スイッチ（1）および前記フレックスアセンブリ（14）を前記ハウジング（9）に取り付けるステップと
を含む、方法。
【請求項１７】
前記ステップa）が、前記第1の外面（10a）から前記内面（11）に向かう方向で前記押しボタン（13）を前記貫通開口部（12）に挿入するステップを含む、請求項16に記載の方法。
【請求項１８】
前記ハウジング（9）が、前記第1の外面（10a）に対して垂直に延びる第2の外面（10b）をさらに備え、
第1の溝（16a）が、前記第2の外面（10b）から前記貫通開口部（12）まで延びており、
前記ステップb）が、
b1）ボタンロックプレート（17）を前記第1の溝（16a）に挿入するステップと、
b2）前記第1の溝（16a）から前記ボタンロックプレート（17）を取り外さなければ前記押しボタン（13）が前記貫通開口部（12）から取り外され得ないように、前記押しボタン（13）が前記ボタンロックプレート（17）と連結されるステップと
を含む、請求項16または17に記載の方法。
【請求項１９】
前記ハウジング（9）が、前記第2の外面（10b）と平行に延びる第3の外面（10c）をさらに備え、
第2の溝（16b）が、前記第3の外面（10c）から前記貫通開口部（12）まで延びており、
前記ステップd）が、
d1）支持プレート（15）を前記第2の溝（16b）に挿入するステップと、
d2）前記第2の溝（16b）から前記支持プレート（15）を取り外さなければ前記ボタン構造（8）が前記貫通開口部（12）から取り外され得ないように、前記支持プレート（15）が前記ハウジング（9）と連結されるステップと
を含む、請求項18のいずれか一項に記載の方法。
【国際調査報告】
2020516022.tif 000011
2020516022.tif 000012